(57)【要約】      （修正有）【課題】工具を使用しなくても、直接、組立および分解を行うことができるＬＥＤ灯具の着脱構造を提供する。【解決手段】蓋板１０、ＬＥＤモジュール２０、係合部材３０およびカバー体４０を含む。蓋板１０の内表面には、固定部１２が設けられ、蓋板１０の両側辺には、係合溝１６がそれぞれ形成される。ＬＥＤモジュール２０は、挿入孔２１０を有する基板２１と、基板２１上に配置される複数のＬＥＤ２２と、を含む。係合部材３０は、一方の端部が基板２１上に設けられる挿入孔２１０に着脱可能に接続され、他方の端部が固定部１２に嵌合固定される。カバー体４０は、透光材料からなり、ＬＥＤモジュール２０が収容される収容空間４１を有する。カバー体４０の両側辺には、蓋体１０の係合溝１６に嵌合固定される係合縁４２がそれぞれ形成される。【選択図】図１
0003154888.tif 000002
【実用新案登録請求の範囲】
【請求項１】
内表面に固定部が設けられる蓋板と、
挿入孔が設けられる基板と前記基板上に配置される複数のＬＥＤとを含むＬＥＤモジュールと、
一方の端部が前記基板上に設けられる前記挿入孔に着脱可能に接続され、他方の端部が前記固定部上に接続固定される少なくとも１つの係合部材と、を含むことを特徴とするＬＥＤ灯具の着脱構造。
【請求項２】
前記係合部材は、挿入段と、前記挿入段に接続されるストッパ段と、を含み、前記挿入段は、前記基板に設けられる前記挿入孔内に挿入接続され、前記ストッパ段は、前記基板上を押圧することを特徴とする請求項１記載のＬＥＤ灯具の着脱構造。
【請求項３】
前記挿入段には、一対の弾性アームが形成され、前記弾性アームの自由端は、前記挿入孔内に係合固定される係合ブロックをそれぞれ有することを特徴とする請求項２記載のＬＥＤ灯具の着脱構造。
【請求項４】
前記固定部は、前記蓋板から延伸される突出板を含み、前記係合部材は、前記ストッパ段に接続される係合接続段をさらに含み、前記係合接続段は、前記突出板に接続されることを特徴とする請求項２記載のＬＥＤ灯具の着脱構造。
【請求項５】
前記突出板には、互いに対応する一対の嵌合溝が設けられ、前記係合接続段には、前記嵌合溝にスライド接続される一対の係合部が形成されることを特徴とする請求項４記載のＬＥＤ灯具の着脱構造。
【請求項６】
前記固定部は、前記蓋板から延伸する２つの係合接続板からなり、前記係合部材は、前記ストッパ段に接続される係合接続段をさらに含み、前記係合接続段は、前記２つの係合接続板に接続されることを特徴とする請求項２記載のＬＥＤ灯具の着脱構造。
【請求項７】
前記２つの係合接続板の間には、挿入溝が画定され、前記係合接続段には、前記挿入溝に嵌合固定される一対の弾性鉤部が形成されることを特徴とする請求項６記載のＬＥＤ灯具の着脱構造。
【請求項８】
前記基板は、回路基板であることを特徴とする請求項１記載のＬＥＤ灯具の着脱構造。
【請求項９】
前記ＬＥＤモジュールは、一対の端蓋をさらに含み、前記端蓋は、前記基板の両端にそれぞれ電気的に接続されることを特徴とする請求項８記載のＬＥＤ灯具の着脱構造。
【請求項１０】
前記蓋板の両端には、複数の係合孔がそれぞれ設けられ、前記端蓋からは、前記係合孔に係合接続される複数の係合部が延伸されることを特徴とする請求項９記載のＬＥＤ灯具の着脱構造。
【請求項１１】
前記蓋板は、アルミニウム材料からなることを特徴とする請求項１記載のＬＥＤ灯具の着脱構造。
【請求項１２】
内表面に固定部が設けられ、両側辺に係合溝が形成される蓋板と、
挿入孔が設けられる基板と前記基板上に配置される複数のＬＥＤとを含むＬＥＤモジュールと、
一方の端部が前記基板上に設けられる前記挿入孔に着脱可能に接続され、他方の端部が前記固定部上に接続固定される少なくとも１つの係合部材と、
透光材料からなり、前記ＬＥＤモジュールが配置される収容空間を有し、両側辺には、前記蓋板の係合溝に嵌合固定される係合縁が形成されるカバー体と、
を含むことを特徴とするＬＥＤ灯具の着脱構造。
【請求項１３】
前記係合部材は、挿入段と、前記挿入段に接続されるストッパ段と、を含み、前記挿入段は、前記基板に設けられる前記挿入孔内に挿入接続され、前記ストッパ段は、前記基板上を押圧することを特徴とする請求項１２記載のＬＥＤ灯具の着脱構造。
【請求項１４】
前記挿入段には、一対の弾性アームが形成され、前記弾性アームの自由端は、前記挿入孔内に係合固定される係合ブロックをそれぞれ有することを特徴とする請求項１３記載のＬＥＤ灯具の着脱構造。
【請求項１５】
前記固定部は、前記蓋板から延伸される突出板を含み、前記係合部材は、前記ストッパ段に接続される係合接続段をさらに含み、前記係合接続段は、前記突出板に接続されることを特徴とする請求項１３記載のＬＥＤ灯具の着脱構造。
【請求項１６】
前記突出板には、互いに対応する一対の嵌合溝が設けられ、前記係合接続段には、前記嵌合溝にスライド接続される一対の係合部が形成されることを特徴とする請求項１５記載のＬＥＤ灯具の着脱構造。
【請求項１７】
前記固定部は、前記蓋板から延伸する２つの係合接続板からなり、前記係合部材は、前記ストッパ段に接続される係合接続段をさらに含み、前記係合接続段は、前記２つの係合接続板に接続されることを特徴とする請求項１３記載のＬＥＤ灯具の着脱構造。
【請求項１８】
前記２つの係合接続板の間には、挿入溝が画定され、前記係合接続段には、前記挿入溝に嵌合固定される一対の弾性鉤部が形成されることを特徴とする請求項１７記載のＬＥＤ灯具の着脱構造。
【請求項１９】
前記基板は、回路基板であることを特徴とする請求項１２記載のＬＥＤ灯具の着脱構造。
【請求項２０】
前記ＬＥＤモジュールは、一対の端蓋をさらに含み、前記端蓋は、前記基板の両端にそれぞれ電気的に接続されることを特徴とする請求項１９記載のＬＥＤ灯具の着脱構造。
【請求項２１】
前記蓋板および前記カバー体の両端には、複数の係合孔がそれぞれ設けられ、前記端蓋からは、前記係合孔に係合接続される複数の係合部が延伸されることを特徴とする請求項２０記載のＬＥＤ灯具の着脱構造。
【請求項２２】
前記蓋板は、アルミニウム材料からなることを特徴とする請求項１２記載のＬＥＤ灯具の着脱構造。
【考案の詳細な説明】
【技術分野】
【０００１】
本考案は、ＬＥＤ灯具に関し、特に、ＬＥＤ灯具の着脱構造に関する。
【背景技術】
【０００２】
ＬＥＤ(Light Emitting Diode)は、消費エネルギーが少ない、消費電力を節約することができる、寿命が長い、体積が小さい、反応速度が速いなどの長所を有するため、従来の電球に取って代わり、各種照明灯具または発光装置中に広く応用されている。これらの照明灯具または発光装置は、照射範囲および輝度を高めるために、通常、複数のＬＥＤと回路基板とが半田接続されることにより、ＬＥＤモジュールが形成される。その後、ＬＥＤモジュールに、透光カバーと金属からなる放熱カバーとがそれぞれ接合される。しかし、透光カバーと放熱カバーとは、それぞれ異なる材料から製造されるため、それらを一体に組み立てるとき、ねじなどのロック部材を使用する必要がある。
【０００３】
従来のＬＥＤ灯具は、主に、ＬＥＤ回路基板、透光カバー、金属からなる放熱カバーおよび２つの端子ユニットを含む。ねじなどのロック部材により、上述の部材が一体に組み合わされることにより、ＬＥＤ灯具が構成される。
【０００４】
しかし、従来のＬＥＤ灯具は、実際に使用する上で問題を有する。ユーザーは、ＬＥＤ灯具の組立または分解を行うために、ねじなどのロック部材を締緩するとき、ドライバーなどの工具を携帯する必要がある。このとき、ユーザーは、一方の手では、ＬＥＤ灯具中の組立（または分解）を行う部材を支持し、他方の手では、ドライバーでねじの締緩を行う必要があるため、非常に不便である。また、締緩作業中、ユーザーがねじを落下させてしまうこともある。
【０００５】
また、透光カバーは、通常、薄いプラスチックからなるため、ユーザーがねじを利用してＬＥＤ灯具を組み立てるとき、付勢(バネ)力が大きすぎる場合、プラスチックからなる透光カバーのねじ穴が破損する可能性がある。その結果、ＬＥＤ灯具全体の組立が困難なものとなり、ＬＥＤ灯具全体を交換しなければならないこともある。
【先行技術文献】
【特許文献】
【０００６】
【特許文献１】特開２００８−２７７１７４号公報
【考案の概要】
【考案が解決しようとする課題】
【０００７】
本考案の目的は、工具を使用しなくても、直接、ＬＥＤ灯具の組立および分解を行うことができるＬＥＤ灯具の着脱構造を提供することにある。
【課題を解決するための手段】
【０００８】
上述の課題を解決するために、本考案のＬＥＤ灯具の着脱構造は、内表面に固定部が設けられる蓋板と、挿入孔が設けられる基板と基板上に配置される複数のＬＥＤとを含むＬＥＤモジュールと、一方の端部が基板上に設けられる挿入孔に着脱可能に接続され、他方の端部が固定部上に嵌合接続される少なくとも１つの係合部材と、を含む。
【０００９】
上述の課題を解決するために、本考案のＬＥＤ灯具の着脱構造は、内表面に固定部が設けられ、両側辺に係合溝がそれぞれ設けられる蓋板と、挿入孔が設けられる基板と基板上に配置される複数のＬＥＤとを含むＬＥＤモジュールと、一方の端部が基板上に設けられる挿入孔に着脱可能に接続され、他方の端部が固定部上に嵌合接続される少なくとも１つの係合部材と、透光材料からなり、ＬＥＤモジュールが収容される収容空間を有し、両側辺には、蓋板の係合溝に嵌合固定される係合縁が形成されるカバー体とを含むものである。
【００１０】
すなわち、請求項１の考案は、内表面に固定部が設けられる蓋板と、挿入孔が設けられる基板と前記基板上に配置される複数のＬＥＤとを含むＬＥＤモジュールと、一方の端部が前記基板上に設けられる前記挿入孔に着脱可能に接続され、他方の端部が前記固定部上に接続固定される少なくとも１つの係合部材とを含むことを特徴とするＬＥＤ灯具の着脱構造である。
請求項２の考案は、前記係合部材は、挿入段と、前記挿入段に接続されるストッパ段とを含み、前記挿入段は前記基板に設けられる前記挿入孔内に挿入接続され、前記ストッパ段は前記基板上を押圧することを特徴とする請求項１記載のＬＥＤ灯具の着脱構造である。
請求項３の考案は、前記挿入段には一対の弾性アームが形成され、前記弾性アームの自由端は前記挿入孔内に係合固定される係合ブロックをそれぞれ有することを特徴とする請求項２記載のＬＥＤ灯具の着脱構造である。
請求項４の考案は、前記固定部は前記蓋板から延伸される突出板を含み、前記係合部材は前記ストッパ段に接続される係合接続段をさらに含み、前記係合接続段は前記突出板に接続されることを特徴とする請求項２記載のＬＥＤ灯具の着脱構造である。
【００１１】
請求項５の考案は、前記突出板には、互いに対応する一対の嵌合溝が設けられ、前記係合接続段には、前記嵌合溝にスライド接続される一対の係合部が形成されることを特徴とする請求項４記載のＬＥＤ灯具の着脱構造である。
請求項６の考案は、前記固定部は前記蓋板から延伸する２つの係合接続板からなり、前記係合部材は前記ストッパ段に接続される係合接続段をさらに含み、前記係合接続段は前記２つの係合接続板に接続されることを特徴とする請求項２記載のＬＥＤ灯具の着脱構造である。
請求項７の考案は、前記２つの係合接続板の間には挿入溝が画定され、前記係合接続段には前記挿入溝に嵌合固定される一対の弾性鉤部が形成されることを特徴とする請求項６記載のＬＥＤ灯具の着脱構造である。
請求項８の考案は、前記基板は回路基板であることを特徴とする請求項１記載のＬＥＤ灯具の着脱構造である。
請求項９の考案は、前記ＬＥＤモジュールは一対の端蓋をさらに含み、前記端蓋は前記基板の両端にそれぞれ電気的に接続されることを特徴とする請求項８記載のＬＥＤ灯具の着脱構造である。
請求項１０の考案は、前記蓋板の両端には複数の係合孔がそれぞれ設けられ、前記端蓋からは前記係合孔に係合接続される複数の係合部が延伸されることを特徴とする請求項９記載のＬＥＤ灯具の着脱構造である。
請求項１１の考案は、前記蓋板はアルミニウム材料からなることを特徴とする請求項１記載のＬＥＤ灯具の着脱構造である。
【００１２】
請求項１２の考案は、内表面に固定部が設けられ、両側辺に係合溝が形成される蓋板と、挿入孔が設けられる基板と前記基板上に配置される複数のＬＥＤとを含むＬＥＤモジュールと、一方の端部が前記基板上に設けられる前記挿入孔に着脱可能に接続され、他方の端部が前記固定部上に接続固定される少なくとも１つの係合部材と、透光材料からなり、前記ＬＥＤモジュールが配置される収容空間を有し、両側辺には、前記蓋板の係合溝に嵌合固定される係合縁が形成されるカバー体と、
を含むことを特徴とするＬＥＤ灯具の着脱構造である。
請求項１３の考案は、前記係合部材は挿入段と前記挿入段に接続されるストッパ段とを含み、前記挿入段は前記基板に設けられる前記挿入孔内に挿入接続され、前記ストッパ段は前記基板上を押圧することを特徴とする請求項１２記載のＬＥＤ灯具の着脱構造である。
請求項１４の考案は、前記挿入段には一対の弾性アームが形成され、前記弾性アームの自由端は前記挿入孔内に係合固定される係合ブロックをそれぞれ有することを特徴とする請求項１３記載のＬＥＤ灯具の着脱構造である。
請求項１５の考案は、前記固定部は前記蓋板から延伸される突出板を含み、前記係合部材は前記ストッパ段に接続される係合接続段をさらに含み、前記係合接続段は前記突出板に接続されることを特徴とする請求項１３記載のＬＥＤ灯具の着脱構造である。
請求項１６の考案は、前記突出板には互いに対応する一対の嵌合溝が設けられ、前記係合接続段には、前記嵌合溝にスライド接続される一対の係合部が形成されることを特徴とする請求項１５記載のＬＥＤ灯具の着脱構造である。
【００１３】
請求項１７の考案は、前記固定部は前記蓋板から延伸する２つの係合接続板からなり、前記係合部材は前記ストッパ段に接続される係合接続段をさらに含み、前記係合接続段は前記２つの係合接続板に接続されることを特徴とする請求項１３記載のＬＥＤ灯具の着脱構造である。
請求項１８の考案は、前記２つの係合接続板の間には挿入溝が画定され、前記係合接続段には前記挿入溝に嵌合固定される一対の弾性鉤部が形成されることを特徴とする請求項１７記載のＬＥＤ灯具の着脱構造である。
請求項１９の考案は、前記基板は回路基板であることを特徴とする請求項１２記載のＬＥＤ灯具の着脱構造である。
請求項２０の考案は、前記ＬＥＤモジュールは一対の端蓋をさらに含み、前記端蓋は前記基板の両端にそれぞれ電気的に接続されることを特徴とする請求項１９記載のＬＥＤ灯具の着脱構造である。
請求項２１の考案は、前記蓋板および前記カバー体の両端には複数の係合孔がそれぞれ設けられ、前記端蓋からは、前記係合孔に係合接続される複数の係合部が延伸されることを特徴とする請求項２０記載のＬＥＤ灯具の着脱構造である。
請求項２２の考案は、前記蓋板はアルミニウム材料からなることを特徴とする請求項１２記載のＬＥＤ灯具の着脱構造である。
【考案の効果】
【００１４】
本考案のＬＥＤ灯具の着脱構造によれば次の効果を有する。
１．ユーザーは、係合部材を利用することにより、蓋板とＬＥＤモジュールとを簡単に接続固定することができるため、工具を使用せずにＬＥＤ灯具の組立および分解を行うことができ、非常に便利である。
２．蓋板およびカバー体には、ねじ穴が設けられず、蓋板とカバー体とは、係合溝と係合縁とを介して互いに接続固定されるため、組立を簡単に、迅速に行うことができ、従来技術における、プラスチックからなるカバー体にねじを締結する工程において、カバー体が破損する問題が発生しない。
【図面の簡単な説明】
【００１５】
【図１】本考案の一実施形態によるＬＥＤ灯具の着脱構造を示す分解斜視図である。
【図２】本考案の一実施形態によるＬＥＤ灯具の着脱構造を示す分解断面図である。
【図３】本考案の一実施形態によるＬＥＤ灯具の着脱構造の組立が完了した後の状態を示す断面図である。
【図４】本考案の一実施形態によるＬＥＤ灯具の着脱構造の組立が完了した後の状態を示す透過斜視図である。
【図５】本考案の一実施形態によるＬＥＤ灯具の着脱構造の組立が完了した後の状態を示し、端蓋を含み、ＬＥＤが発光する様子を示す断面図である。
【図６】本考案の他の実施形態によるＬＥＤ灯具の着脱構造を示す分解断面図である。
【図７】本考案の他の実施形態によるＬＥＤ灯具の着脱構造の組立が完了した後の状態を示す断面図である。
【考案を実施するための形態】
【００１６】
本考案の目的、特徴および効果を示す実施形態を図面に沿って詳細に説明する。しかし、図面は、説明のために提供するものであり、本考案を限定するものではない。
図１を参照して説明する。図１は、本考案の一実施形態によるＬＥＤ灯具の着脱構造を示す分解斜視図である。本考案の一実施形態によるＬＥＤ灯具の着脱構造は、主に、蓋板１０、ＬＥＤモジュール２０、複数の係合部材３０およびカバー体４０を含む。
【００１７】
蓋板１０は、アルミニウムなど、高熱伝導率の金属から製造され、ＬＥＤモジュール２０を保護する上、放熱を行う。蓋板１０の内表面には、係合部材３０が接続固定される固定部１２が延伸成形される。蓋板１０の両端部には、複数の係合孔１４が設けられる。また、蓋板１０の両側辺には、係合溝１６がそれぞれ形成される。
【００１８】
ＬＥＤモジュール２０は、主に、基板２１と、基板２１上に配置される複数のＬＥＤ２２と、を含む。基板２１上には、少なくとも１つの係合部材３０が挿入される挿入孔２１０が設けられる。ＬＥＤモジュール２０は、一対の端蓋２４をさらに含む。この端蓋２４は、端子プラグ２４２を介し、基板２１上に配置された端子ソケット２１２に電気的に接続される。また、端蓋２４は、外側に延伸する２つの端子２４３を介し、外部電源（図示せず）に電気的に接続される。この方式により、ＬＥＤモジュール２０は、通電され、正常に運転する。
【００１９】
図２を参照して説明する。図２に示すように、係合部材３０は、主に、挿入段３１と、係合接続段３３と、挿入段３１と係合接続段３３との間に位置するストッパ段３２と、を含む。係合部材３０の挿入段３１は、基板２１の挿入孔２１０内に挿入することができる。ストッパ段３２が基板２１上を押圧することにより、基板２１は、係合部材３０の挿入段３１とストッパ段３２との間に接続固定される。また、挿入段３１には、一対の弾性アーム３１１が形成される。各弾性アーム３１１の自由端は、挿入孔２１０内に係合固定することができる係合ブロック３１２を有する。
【００２０】
また、係合部材３０の係合接続段３３は、蓋板１０の固定部１２に接続固定することができる。図２に示す実施形態において、固定部１２は、蓋板１０から延伸された突出板１２０を含む。この突出板１２０には、互いに対応する一対の嵌合溝１２１が設けられる。係合接続段３３には、嵌合溝１２１にスライド接続することができる一対の係合部３３１が形成される。挿入段３１が基板２１の挿入孔２１０内に挿入され、係合接続段３３が蓋板１０の突出板１２０の嵌合溝１２１内に嵌入されることにより、蓋板１０と基板２１と係合部材３０とは、一体に接続される。さらに、蓋板１０の内表面の両側辺に近い位置には、基板２１を蓋板１０に安定的に接続固定するのに使用されるストッパ板１８がそれぞれ設けられる。
【００２１】
カバー体４０は、透光材料から製造されることにより、ＬＥＤ２２から放出される光線を透過する。また、カバー体４０は、蓋板１０と接合されることにより、ＬＥＤモジュール２０の保護を行う。通常、カバー体４０は、透光性を有するプラスチックからなる薄い部材である。カバー体４０には、ＬＥＤモジュール２０が収容される収容空間４１が画定される。収容空間４１が画定されるカバー体４０の両側辺に、蓋板１０の係合溝１６に嵌合固定される係合縁４２が形成されることにより、蓋板１０とカバー体４０とは、互いに接続固定される。
ここで、図１を再び参照して説明する。端蓋２４の周囲からは、複数の係合部２４１が延伸する。カバー体４０の両端には、複数の係合孔４３が設けられる。端蓋２４の係合部２４１が蓋板１０の係合孔１４とカバー体４０の係合孔４３とに係合されることにより、端蓋２４と蓋板１０とカバー体４０とは、接続固定される。
【００２２】
本考案の一実施形態によるＬＥＤ灯具の着脱構造の組立工程を下記に示す。
まず、係合部材３０の挿入段３１を挿入孔２１０内に挿入し、係合ブロック３１２を挿入孔２１０内に係合固定する。その後、係合部材３０が挿入接続された基板２１を蓋板１０の方向に配置し、係合部材３０の係合接続段３３を蓋板１０の固定部１２に挿入接続する。これにより、蓋板１０と係合部材３０とＬＥＤモジュール２０とが一体に接続固定される。
【００２３】
次に、カバー体４０の係合縁４２を蓋板１０の係合溝１６内に嵌入し、ＬＥＤモジュール２０をカバー体４０の収容空間４１内に配置する（図３を参照）。その後、端蓋２４の端子プラグ２４２を基板２１上の対応する端子ソケット２１２内に挿入する。最後に、２つの端蓋２４を端部から蓋板１０およびカバー体４０の端部にそれぞれ被覆し、端蓋２４の係合部２４１を蓋板１０の係合孔１４とカバー体４０の係合孔４３とに係合する。これにより、全体の組立が完了する。図４は、組立が完了した後の状態を示す透過斜視図である。図５は、組立が完了した後の状態を示す断面図である。
【００２４】
分解工程は、基本的に、組立工程と逆の順序であるため、重複した説明は行わない。ここで、通常、ＬＥＤ灯具を分解する理由は、ＬＥＤ２２が多数破損し、ＬＥＤ灯具の輝度が不足する事態となった場合や、ユーザーが他の色のＬＥＤ２２に変更したい場合などであり、このとき、新しい基板２１（当然、基板２１上に接続された複数のＬＥＤ２２を含む）に交換される。本実施形態によるＬＥＤ灯具を分解するとき、先ず、端蓋２４およびカバー体４０を取り外す。次に、端子プラグ２４２を端子ソケット２１２中から抜き取る。その後、係合部材３０の挿入段３１を内側に押圧し、弾性アーム３１１の係合ブロック３１２を内側に収縮させ、基板２１の挿入孔２１０に対する弾性支持を解除することにより、基板２１を簡単に取り外すことができる。その後、組立ステップに基づき、新しい基板２１を配置すればよい。必要がなければ、分解工程において、係合部材３０を蓋板１０の固定部１２から分離しなくてもよいため、係合部材３０の寿命を延長することができる。
【００２５】
図６を参照して説明する。図６は、本考案の他の実施形態によるＬＥＤ灯具の着脱構造を示す分解断面図である。本実施形態においては、蓋板１０の固定部１２’が蓋板１０から延伸される２つの係合接続板１２０’を含み、２つの係合接続板１２０’の間に挿入溝１２１’が画定され、係合部材３０の係合接続段３３に、挿入溝１２１’に嵌合固定される一対の弾性鉤部３３１’が形成される点が上述の一実施形態と異なる。係合接続段３３に設けられた弾性鉤部３３１’が２つの係合接続板１２０’からなる挿入溝１２１’内に挿入されることにより、係合部材３０が蓋板１０に接続固定され、前述の一実施形態と同一の効果が達成される。
【００２６】
以上のように、本考案のＬＥＤ灯具の着脱構造は、産業上の利用可能性、新規性および進歩性を有する。本考案のＬＥＤ灯具の着脱構造は、同類製品において、未だに見られないものである。また、本考案のＬＥＤ灯具の着脱構造は、未だに公開使用されていない。
【符号の説明】
【００２７】
１０  蓋板
１２  固定部
１２０  突出板
１２１  嵌合溝
１２’  固定部
１２０’  係合接続板
１２１’  挿入溝
１４  係合孔
１６  係合溝
１８  ストッパ板
２０  ＬＥＤモジュール
２１  基板
２１０  挿入孔
２１２  端子ソケット
２２  ＬＥＤ
２４  端蓋
２４１  係合部
２４２  端子プラグ
２４３  端子
３０  係合部材
３１  挿入段
３１１  弾性アーム
３１２  係合ブロック
３２  ストッパ段
３３  係合接続段
３３１  係合部
３３１’  弾性鉤部
４０  カバー体
４１  収容空間
４２  係合縁
４３  係合孔
【図１】
0003154888.tif 000003
【図２】
0003154888.tif 000004
【図３】
0003154888.tif 000005
【図４】
0003154888.tif 000006
【図５】
0003154888.tif 000007
【図６】
0003154888.tif 000008
【図７】
0003154888.tif 000009